(57)【要約】      （修正有）【課題】環境に悪影響を及ぼさず、獣毛繊維が十分に立ち、滑らかで、柔らかな毛皮のような風合いの獣毛製品を製造することができる、獣毛製品の製造方法の提供。【解決手段】獣毛製品の製造方法は、カシミア、ウール、アンゴラ、モヘア、キャメル又はアルパカの何れか１である獣毛を含む被処理製品を、式（１）及び式（２）で表される化合物から選択される一種の化合物を、単独で、或いは二種以上の化合物を用いて処理する工程を備える製造方法。2016169455.tif 0000172016169455.tif 000018【選択図】なし【特許請求の範囲】
【請求項１】
獣毛を含む被処理製品を、下記式（１）及び下記式（２）で表される化合物からなる群から選択される少なくとも一種を用いて処理する工程を備える獣毛製品の製造方法。
【化１】
2016169455.tif 000011
（式（１）中、
環Ｚ１は、ベンゼン環、ナフタレン環、又は、ベンゼン環どうしが直接結合若しくはエーテル結合を介して結合した環を表し、
Ｅは、水素原子、アルカリ金属原子、又は炭素数１〜１５個の直鎖状又は分岐鎖状のアルキル基を表し、
ｎは、１〜３の整数であり、
Ｒ１は、水素原子、又は炭素数１〜２０個の直鎖状又は分岐鎖状のアルキル基を表す。）
【化２】
2016169455.tif 000012
（式（２）中、
Ｒ２は、炭素数１〜１５個の直鎖若しくは分岐鎖状のアルキル基、又はアリール基を表し、
Ｒ３は、炭素数１〜１５個の直鎖若しくは分岐鎖状のアルキル基、又はアリール基を表し、
Ｘは、水素原子、又はアルカリ金属原子を表す。）
【請求項２】
前記式（１）で表される化合物が、下記式（３）、下記式（４）及び下記式（５）で表される化合物からなる群から選択される少なくとも一種である請求項１に記載の獣毛製品の製造方法。
【化３】
2016169455.tif 000013
（式（３）中、
Ｒ４は、スルホン酸塩、又は下記式（６）で示される有機基を表し、
−ＳＯ３Ｒ４ａ          （６）
（式（６）中、Ｒ４ａは、炭素数１〜１５個の直鎖状又は分岐鎖状のアルキル基を表す。）
Ｒ５は、水素原子、又は炭素数１〜２０個の直鎖状又は分岐鎖状のアルキル基を表し、
Ｘは、水素原子、又はアルカリ金属原子を表す。）
【化４】
2016169455.tif 000014
（式（４）中、
Ｒ６は、炭素数１〜１０個の直鎖状又は分岐鎖状のアルキル基を表し、
Ｒ７は、炭素数１〜１０個の直鎖状又は分岐鎖状のアルキル基を表し、
Ｒ８は、炭素数１〜１０個の直鎖状又は分岐鎖状のアルキル基を表し、
Ｒ９は、炭素数１〜１０個の直鎖状又は分岐鎖状のアルキル基を表し、
Ｘは、水素原子、又はアルカリ金属原子を表す。）
【化５】
2016169455.tif 000015
（式（５）中、
Ｒ１０は、炭素数１〜１０個の直鎖状又は分岐鎖状のアルキル基を表し、
Ｘは、水素原子、又はアルカリ金属原子を表す。）
【請求項３】
前記化合物は、前記式（３）で表される化合物を含み、
前記式（３）が、下記式（３ａ）で表される化合物である請求項１又は２に記載の獣毛製品の製造方法。
【化６】
2016169455.tif 000016
（式（３ａ）中、
Ｒ５は、炭素数１〜２０個の直鎖状又は分岐鎖状のアルキル基を表し、
Ｘは、水素原子、又はアルカリ金属原子を表す。）
【請求項４】
前記獣毛は、カシミア、ウール、アンゴラ、モヘア、キャメル又はアルパカの何れか１である請求項１〜３の何れか１項に記載の獣毛製品の製造方法。
【請求項５】
請求項１〜４の何れか１項に記載の製造方法によって処理された獣毛製品。
【発明の詳細な説明】
【技術分野】
【０００１】
本発明は、獣毛製品の製造方法、及びその製造方法により処理された獣毛製品に関する。
【背景技術】
【０００２】
カシミアヤギの毛を原料とするカシミア製の編織物に加工を施し、カシミア繊維を立たせて、滑らかで柔らかな毛皮のような風合いと外観を生み出す、ファー加工或いはミンク加工と称する技術が知られている（非特許文献１）。このようなファー加工或いはミンク加工は、従来、セーターを有機塩素系化合物で処理して行うことが常法であった。しかし有機塩素系化合物の使用は、有害な吸収性有機ハロゲン化合物（ＡＯＸ）を生成し、環境を汚染するという重大な問題がある。
【０００３】
吸収性有機ハロゲン化合物（ＡＯＸ）を生成せず、環境に悪影響を及ぼすことがないように、有機塩素系化合物以外の化合物を使用して、ファー加工或いはミンク加工を施す技術も知られているが、カシミア繊維を十分に立たせることができず、滑らかで柔らかな毛皮のような風合いと外観を生み出すことが難しかった。
【先行技術文献】
【非特許文献】
【０００４】
【非特許文献１】＜「ヤーン・フェア」報告  糸の新潮流を見逃すな＞，繊維ニュース，２０１５年（平成２７年）２月  １２日発行，紙面７頁
【発明の概要】
【発明が解決しようとする課題】
【０００５】
したがって本発明は、前述した従来技術が有する欠点を解消し得る獣毛製品の製造方法に関するものである。また、本発明は、その製造方法により処理された獣毛製品に関するものである。
【課題を解決するための手段】
【０００６】
本発明は、獣毛を含む被処理製品を、下記式（１）及び下記式（２）で表される化合物からなる群から選択される少なくとも一種を用いて処理する工程を備える獣毛製品の製造方法を提供するものである。
【化１】
2016169455.tif 000002
（式（１）中、
環Ｚ１は、ベンゼン環、ナフタレン環、又は、ベンゼン環どうしが直接結合若しくはエーテル結合を介して結合した環を表し、
Ｅは、水素原子、アルカリ金属原子、又は炭素数１〜１５個の直鎖状又は分岐鎖状のアルキル基を表し、
ｎは、１〜３の整数であり、
Ｒ１は、水素原子、又は炭素数１〜２０個の直鎖状又は分岐鎖状のアルキル基を表す。）
【化２】
2016169455.tif 000003
（式（２）中、
Ｒ２は、炭素数１〜１５個の直鎖若しくは分岐鎖状のアルキル基、又はアリール基を表し、
Ｒ３は、炭素数１〜１５個の直鎖若しくは分岐鎖状のアルキル基、又はアリール基を表し、
Ｘは、水素原子、又はアルカリ金属原子を表す。）
【０００７】
また、本発明は、上記記載の製造方法によって処理された獣毛製品を提供するものである。
【発明の効果】
【０００８】
本発明によれば、環境に悪影響を及ぼさず、繊維が十分に立ち、滑らかで柔らかな毛皮のような風合いの獣毛製品を製造することができる。
【発明を実施するための形態】
【０００９】
以下、本発明を、その好ましい一実施態様に基づき説明する。
本発明の獣毛製品の製造方法は、獣毛を含む被処理製品を、下記式（１）及び下記式（２）で表される化合物からなる群から選択される少なくとも一種を用いて処理する工程（以下、「処理工程」とも言う。）を備えている。本実施態様の獣毛製品の製造方法は、処理工程を備え、処理工程以外に、処理工程の後の水洗工程と、水洗工程の後の乾燥工程とを備えている。
【００１０】
本実施態様の製造方法が適用される獣毛としては、従来公知の各種獣毛繊維が挙げられ、例えば、カシミア、ウール、アンゴラ、モヘア、キャメル又はアルパカ等が挙げられる。獣毛を含む獣毛製品としては、獣毛を紡績した獣毛糸条、該獣毛糸条を製編織してなる獣毛編織物、上記獣毛繊維を集積してなる獣毛不織布等の製品の形態であってもよく、獣毛糸条、獣毛編織物又は獣毛不織布から形成された帽子、手袋、靴下、セーター、コート、ズボン、マフラー等の衣類の製品の形態であってもよい。
【００１１】
獣毛製品は、獣毛のみから構成されたものであっても、獣毛と他の繊維とが混合されたものであってもよい。獣毛のみから構成されたものである場合、カシミア、ウール、アンゴラ、モヘア、キャメル又はアルパカの中の一種を単独で、或いは２種以上を混合したものであってもよい。獣毛と他の繊維とが混合されたものである場合、他の繊維としては、従来公知の各種繊維が挙げられ、例えば、セルロース繊維、アクリル繊維、ポリエステル繊維、ポリアミド繊維等が挙げられる。獣毛と他の繊維とを混合した獣毛製品の場合、獣毛製品における獣毛の割合は、特に限定されるものではないが、獣毛を十分に立たせて毛皮のような風合いを生み出す観点から、獣毛製品全重量の少なくとも１０重量％以上であることが好ましく、獣毛製品全重量の２０重量％以上３０重量％以下であることが更に好ましく、獣毛製品全重量の３０重量％以上５０重量％以下であることが特に好ましい。
【００１２】
先ず、本実施態様の獣毛製品の製造方法では、獣毛を含む被処理製品を、下記式（１）及び下記式（２）で表される化合物からなる群から選択される少なくとも一種を用いて処理する（処理工程）。本実施態様において、処理工程は、下記式（１）及び下記式（２）で表される化合物からなる群から選択される化合物を一種単独で使用して処理してもよいし、２種以上を混合して使用して処理してもよい。
【００１３】
【化３】
2016169455.tif 000004
【００１４】
上記式（１）で表される化合物において、環Ｚ１は、ベンゼン環、ナフタレン環、又は、ベンゼン環どうしが直接結合若しくはエーテル結合を介して結合した環を表している。ここで、ベンゼン環どうしが直接結合した環とは、ビフェニルを意味し、ベンゼン環どうしがエーテル結合を介して結合した環とは、ジフェニルエーテルを意味している。
【００１５】
上記式（１）で表される化合物において、Ｅは、水素原子、アルカリ金属原子、又は炭素数１〜１５個の直鎖状又は分岐鎖状のアルキル基を表している。該アルキル基は、その水素原子の１又は２以上が、フェニル基及びスチリル基等のアリル基、エポキシ基、アミノ基、カルボキシル基、ビニル基等で置換されていてもよい。また、アルカリ金属原子としては、例えばナトリウム、カリウム、リチウム等が挙げられる。
【００１６】
上記式（１）で表される化合物において、ｎは、１〜３の整数であり、Ｒ１は、水素原子、又は炭素数１〜２０個の直鎖状又は分岐鎖状のアルキル基を表している。該アルキル基は、その水素原子の１又は２以上が、フェニル基及びスチリル基等のアリル基、エポキシ基、アミノ基、カルボキシル基、ビニル基等で置換されていてもよい。尚、Ｒ１は、炭素数１〜２０個の直鎖状のアルキル基であることが好ましい。
【００１７】
【化４】
2016169455.tif 000005
【００１８】
上記式（２）で表される化合物において、Ｒ２は、炭素数１〜１５個の直鎖若しくは分岐鎖状のアルキル基、又はアリール基を表し、Ｒ３は、炭素数１〜１５個の直鎖若しくは分岐鎖状のアルキル基、又はアリール基を表している。Ｒ２の基及びＲ３の基は、同じ基であってもよく、異なる基であってもよい。炭素数１〜１５個の直鎖若しくは分岐鎖状のアルキル基は、その水素原子の１又は２以上が、フェニル基及びスチリル基等のアリル基、エポキシ基、アミノ基、カルボキシル基、ビニル基等で置換されていてもよい。上記式（２）で表される化合物において、Ｘは、水素原子、又はアルカリ金属原子を表している。アルカリ金属原子としては、例えばナトリウム、カリウム、リチウム等が挙げられる。
【００１９】
上記式（２）で表される化合物の具体例としては、例えば、スルホこはく酸ビス（２‐エチルヘキシル）ナトリウム塩（分子式：Ｃ２０Ｈ３７ＮａＯ７Ｓ）、スルホこはく酸ジヘキシルナトリウム塩（分子式：Ｃ１６Ｈ２９ＮａＯ７Ｓ）、スルホこはく酸ジオクチルナトリウム塩（分子式：Ｃ２０Ｈ３７ＮａＯ７Ｓ）、スルホこはく酸ジドデシルナトリウム塩（分子式：Ｃ２８Ｈ５３ＮａＯ７Ｓ）、スルホこはく酸ジシクロヘキシルナトリウム塩（分子式：Ｃ１６Ｈ２５ＮａＯ７Ｓ）等が挙げられる。
【００２０】
上記式（１）で表される化合物は、下記式（３）、下記式（４）及び下記式（５）で表される化合物からなる群から選択される少なくとも一種であることが好ましい。本実施態様において、処理工程は、上記式（２）、下記式（３）、下記式（４）及び下記式（５）で表される化合物からなる群から選択される化合物を一種単独で使用して処理してもよいし、２種以上を混合して使用して処理してもよい。
【００２１】
【化５】
2016169455.tif 000006
【００２２】
上記式（３）で表される化合物において、Ｒ４は、スルホン酸塩、又は下記式（６）で示される有機基を表している。Ｒ４は、エーテル結合に対して、メタ位又はパラ位に位置していることが好ましい。
−ＳＯ３Ｒ４ａ          （６）
上記式（６）で示される有機基において、Ｒ４ａは、炭素数１〜１５個の直鎖状又は分岐鎖状のアルキル基を表している。該アルキル基は、その水素原子の１又は２以上が、フェニル基及びスチリル基等のアリル基、エポキシ基、アミノ基、カルボキシル基、ビニル基等で置換されていてもよい。尚、Ｒ４ａは、炭素数１〜１５個の直鎖状のアルキル基であることが好ましく、炭素数３〜１３個の直鎖状のアルキル基であることが更に好ましい。
【００２３】
上記式（３）で表される化合物において、Ｒ５は、水素原子、又は炭素数１〜２０個の直鎖状又は分岐鎖状のアルキル基を表している。該アルキル基は、その水素原子の１又は２以上が、フェニル基及びスチリル基等のアリル基、エポキシ基、アミノ基、カルボキシル基、ビニル基等で置換されていてもよい。尚、Ｒ５は、炭素数１〜２０個の直鎖状のアルキル基であることが好ましく、炭素数３〜１６個の直鎖状のアルキル基であることが更に好ましい。上記式（３）で表される化合物において、Ｘは、水素原子、又はアルカリ金属原子を表している。アルカリ金属原子としては、例えばナトリウム、カリウム、リチウム等が挙げられる。
【００２４】
上記式（３）で表される化合物は、更に下記式（３ａ）で表される化合物であることが好ましい。尚、下記式（３ａ）で表される化合物において、Ｒ５及びＸは、上述した通りの意味である。Ｒ５は、スルホ基がエーテル結合に対してメタ位に位置している場合、エーテル結合に対してパラ位に位置していることが好ましく、スルホ基がエーテル結合に対してパラ位に位置している場合、エーテル結合に対してメタ位に位置していることが好ましい。
【００２５】
【化６】
2016169455.tif 000007
【００２６】
【化７】
2016169455.tif 000008
【００２７】
上記式（４）で表される化合物において、Ｒ６は、炭素数１〜１０個の直鎖状又は分岐鎖状のアルキル基であり、炭素数１〜１０個の直鎖状のアルキル基であることが好ましく、炭素数２〜８個の直鎖状のアルキル基であることが更に好ましい。また、上記式（４）で表される化合物において、Ｒ７は、炭素数１〜１０個の直鎖状又は分岐鎖状のアルキル基であり、炭素数１〜１０個の直鎖状のアルキル基であることが好ましく、炭素数２〜８個の直鎖状のアルキル基であることが更に好ましい。また、上記式（４）で表される化合物において、Ｒ８は、炭素数１〜１０個の直鎖状又は分岐鎖状のアルキル基であり、炭素数１〜１０個の直鎖状のアルキル基であることが好ましく、炭素数２〜８個の直鎖状のアルキル基であることが更に好ましい。また、上記式（４）で表される化合物において、Ｒ９は、炭素数１〜１０個の直鎖状又は分岐鎖状のアルキル基であり、炭素数１〜１０個の直鎖状のアルキル基であることが好ましく、炭素数２〜８個の直鎖状のアルキル基であることが更に好ましい。炭素数１〜１０個の直鎖若しくは分岐鎖状のアルキル基は、その水素原子の１又は２以上が、フェニル基及びスチリル基等のアリル基、エポキシ基、アミノ基、カルボキシル基、ビニル基等で置換されていてもよい。尚、Ｒ６の基、Ｒ７の基、Ｒ８の基、及びＲ９の基は、同じ基であってもよく、異なる基であってもよい。上記式（４）で表される化合物において、Ｘは、水素原子、又はアルカリ金属原子を表している。アルカリ金属原子としては、例えばナトリウム、カリウム、リチウム等が挙げられる。
【００２８】
【化８】
2016169455.tif 000009
【００２９】
上記式（５）で表される化合物において、Ｒ１０は、炭素数１〜１０個の直鎖状又は分岐鎖状のアルキル基を表している。該アルキル基は、その水素原子の１又は２以上が、フェニル基及びスチリル基等のアリル基、エポキシ基、アミノ基、カルボキシル基、ビニル基等で置換されていてもよい。尚、Ｒ１０は、炭素数１〜１０個の直鎖状のアルキル基であることが好ましく、炭素数２〜８個の直鎖状のアルキル基であることが更に好ましい。Ｒ１０は、スルホ基に対してメタ位、パラ位、アナ位又はエビ位に位置していることが好ましく、パラ位に位置していることが更に好ましい。上記式（５）で表される化合物において、Ｘは、水素原子、又はアルカリ金属原子を表している。アルカリ金属原子としては、例えばナトリウム、カリウム、リチウム等が挙げられる。
【００３０】
本実施態様において、獣毛を含む被処理製品を処理する工程（処理工程）は、例えば、上記式（１）及び上記式（２）で表される化合物からなる群から選択される一種を含有する溶液中に被処理製品を浸漬して処理するか、或いは、上記式（１）及び上記式（２）で表される化合物からなる群から選択される一種を含有する溶液を被処理製品に塗布若しくは噴霧等して処理することができるが、獣毛を、より垂直に立たせる観点から、前記溶液中に被処理製品を浸漬して処理することが好ましい。
【００３１】
本実施態様の処理工程において、上記式（１）及び上記式（２）で表される化合物からなる群から選択される化合物の量は、被処理製品に対して、獣毛を十分に立たせて毛皮のような風合いを生み出す観点から、５％ｏ．ｗ．ｆ．以上８０％ｏ．ｗ．ｆ．以下であることが好ましく、１５％ｏ．ｗ．ｆ．以上５０％ｏ．ｗ．ｆ．以下であることが更に好ましい。前記選択される化合物は、被処理製品に対して所定の％ｏ．ｗ．ｆ．となるように、処理工程に用いる液（以下「処理溶液」とも言う。）に添加される。前記選択される化合物の量は、一種単独で使用する場合も、２種以上を混合して使用する場合も同じ量である。尚、「％ｏ．ｗ．ｆ．」とは、被処理製品を基準にした重量％を意味する。
【００３２】
本実施態様において、処理溶液は、上記式（１）及び上記式（２）で表される化合物からなる群から選択される化合物以外に、前記液を酸性にする為のｐＨ調整剤を含有していてもよい。酸性にするｐＨ調整剤としては、燐酸、蓚酸、クエン酸、酢酸、蟻酸、プロピオン酸等が挙げられ、これらの１種を単独で又は２種以上を混合して用いることができる。処理工程に用いる液の適正ｐＨ域は、獣毛を十分に立たせて毛皮のような風合いを生み出す観点から、ｐＨ２以上７ｐＨ以下であることが好ましく、ｐＨ２．５以上ｐＨ５以下であることが更に好ましい。処理溶液を前記適正ｐＨ域に維持する観点から、ｐＨ調整剤の濃度は、処理溶液に対して、０．１ｇ／Ｌ以上３．０ｇ／Ｌ以下であることが好ましく、０．５ｇ／Ｌ以上２．０ｇ／Ｌ以下であることが更に好ましい。
【００３３】
処理工程が処理溶液中に被処理製品を浸漬して処理する場合、被処理製品と処理溶液との重量比、所謂浴比は、獣毛を十分に立たせて毛皮のような風合いを生み出す観点から、１：１〜１：２００であることが好ましく、１：２０〜１：１５０であることが更に好ましい。
【００３４】
処理工程が処理溶液中に被処理製品を浸漬して処理する場合、浸漬時の処理溶液の温度は、獣毛繊維の種類により適宜設定することができるが、獣毛を十分に立たせて毛皮のような風合いを生み出す観点から、４０℃以上９０℃以下であることが好ましく、６０℃以上８０℃以下であることが更に好ましい。処理溶液の温度を上昇させる場合、被処理製品を前記液中に浸漬した状態から、１分間に０．５℃〜３℃の割合で前記液の温度を上昇させることが好ましい。設定温度となった液中に被処理製品を浸漬する時間（浸漬時間）は、５分以上１２０分以下であることが好ましく、１０分以上６０分以下であることが更に好ましい。
【００３５】
尚、処理工程に用いるｐＨ調整剤を含有した液中に被処理製品を浸漬して処理する場合、上記式（１）及び上記式（２）で表される化合物からなる群から選択される化合物、並びに、ｐＨ調整剤を水に添加した液中に、被処理製品を浸漬してもよいが、先にｐＨ調整剤のみを水に添加した液中に被処理製品を浸漬して酸化処理した後に、前記選択される化合物を該液中に更に添加して被処理製品を処理してもよい。
【００３６】
次に、本実施態様の獣毛製品の製造方法では、処理工程で処理した処理製品（獣毛製品）を水洗いする（水洗工程）。処理工程において処理溶液中に被処理製品を浸漬して処理した場合には、水洗工程においては、該処理工程に用いた液中に水を加えながら、１分間に０．２℃〜３℃の割合で前記液の温度を１０℃〜３０℃程度にまで徐々に徐冷することが好ましい。このような徐冷を施すことによって、獣毛を更に十分に立たせて毛皮のような風合いを更に生み出すことができる。水洗工程では、複数回、処理工程で処理した処理製品（獣毛製品）を常法により水洗いしてもよい。
【００３７】
次に、本実施態様の獣毛製品の製造方法では、水洗工程で水洗いした処理製品（獣毛製品）を柔軟処理を施した後、脱水した後に、乾燥させる（乾燥工程）。乾燥工程においては、処理製品（獣毛製品）を、自然乾燥、或いは、４０℃〜７０℃程度の温度で５分〜２０分間乾燥させる。尚、獣毛を更に十分に立たせて毛皮のような風合いを更に生み出す観点から、水洗工程で水洗いした処理製品（獣毛製品）を自然乾燥することが好ましい。
【００３８】
以上説明したように、上述した処理工程を備える本実施態様の獣毛製品の製造方法によれば、獣毛製品を効率的に製造することができる。
本実施態様の獣毛製品の製造方法は、処理工程において、上記式（１）及び上記式（２）で表される化合物からなる群から選択される一種を用いて処理するため、吸収性有機ハロゲン化合物（ＡＯＸ）を生成せず、環境に悪影響を及ぼすことがない。また、本実施態様の製造方法で製造された獣毛製品は、獣毛繊維のタンパク質のアミノ基に対して、上記式（１）又は上記式（２）で表される化合物が反応することによって、獣毛繊維が立ち易くなり、滑らかで柔らかな毛皮のような風合いとなり易い。
【００３９】
以上、本発明をその好ましい実施態様に基づき説明したが、本発明は前記実施態様に制限されるものではなく、適宜変更可能である。  例えば、本実施態様の獣毛製品の製造方法は、処理工程以外に、水洗工程及び乾燥工程を備えているが、水洗工程で処理製品を水洗いしている間に、処理製品に柔軟加工を施してもよい。柔軟加工を施す場合、水洗工程で水洗いした処理製品を、公知の例えばアミノシリコーン系の柔軟剤を用いて、常法により柔軟加工し、柔軟加工を施した処理製品を、更に１回又は複数回水洗いする。
【００４０】
また、本実施態様の製造方法においては、処理溶液に、上記式（１）及び上記式（２）で表される化合物からなる群から選択される化合物と、該化合物以外にｐＨ調整剤とを添加しているが、ｐＨ調整剤を添加していなくてもよい。また、処理溶液に、ｐＨ調整剤を添加する以外に、公知の抗菌剤、防カビ剤、消臭剤、消泡剤、染料、均染剤等を更に添加していてもよい。
【実施例】
【００４１】
以下、本発明を実施例により更に具体的に説明するが、本発明は斯かる実施例に限定されるものではない。
【００４２】
〔実施例１〕
パドル染色機に、獣毛（カシミア３０％ウール７０％）からなるセーターと５０℃の水とを浴比１：２０で充填した。次いで、純度７５％の燐酸を１ｇ／Ｌ添加して５分間攪拌後、上記式（３）で表される化合物を含む４５％溶液を３０％ｏ．ｗ．ｆ．添加し、これらを添加した処理溶液にセーターを浸漬した。処理溶液のｐＨは２．６４であった。実施例１で用いた上記式（３）で表される化合物において、Ｒ４は、エーテル結合のパラ位に位置する−ＳＯ３Ｒ４ａで示される有機基であり、該有機基において、Ｒ４ａは、炭素数１２個の直鎖状のアルキル基であった。また、実施例１で用いた上記式（３）で表される化合物において、Ｒ５は水素原子であり、Ｘはナトリウムであった。そして、処理溶液を、１分間に１℃の割合で７５℃まで上昇させ、７５℃の処理溶液中にセーターを３０分間浸漬した。その後、処理溶液に水を加え、２０分かけて３０℃に徐冷し、その後、処理溶液を水に置換して水洗しながらアミノシリコーン系の柔軟剤で柔軟加工を施し、自然乾燥した。このように処理して得られたセーターを、実施例１のセーターとした。
【００４３】
〔実施例２〕
パドル染色機に、獣毛（カシミア３０％ウール７０％）からなるセーターと４０℃の水とを浴比１：２０で充填した。次いで、９０％の酢酸を１ｇ／Ｌ添加して５分間攪拌後、上記式（３ａ）で表される化合物を含む７０％溶液を４０％ｏ．ｗ．ｆ．添加し、これらを添加した処理溶液にセーターを浸漬した。処理溶液のｐＨは３．６２であった。実施例２で用いた上記式（３ａ）で表される化合物において、スルホン基が何れもエーテル結合のパラ位に位置しており、Ｒ５はエーテル結合のメタ位に位置する炭素数１６個の直鎖状のアルキル基であり、Ｘはナトリウムであった。そして、処理溶液を、３０分かけて８０℃まで上昇させ、８０℃の処理溶液中にセーターを１０分間浸漬した。その後、実施例１と同様に処理して得られたセーターを、実施例２のセーターとした。
【００４４】
〔実施例３〕
純度７５％の燐酸の替わりに蟻酸を用い、上記式（３）で表される化合物の替わりに上記式（４）で表される化合物を用いる以外は、実施例１と同様に処理して得られたセーターを、実施例３のセーターとした。
実施例３で用いた上記式（４）で表される化合物において、Ｒ６〜Ｒ９は、何れも同じ炭素数３個の直鎖状のアルキル基であり、Ｘはナトリウムであった。
【００４５】
〔実施例４〕
パドル染色機に、獣毛（カシミア３０％ウール７０％）からなるセーターと４０℃の水とを浴比１：２０で充填した。次いで、クエン酸を１ｇ／Ｌ添加して５分間攪拌後、上記式（５）で表される化合物を３０％ｏ．ｗ．ｆ．添加し、これらを添加した処理溶液にセーターを浸漬した。処理溶液のｐＨは３．１４であった。実施例４で用いた上記式（５）で表される化合物において、Ｒ１０はスルホ基のパラ位に位置する炭素数４個の直鎖状のアルキル基であり、Ｘはナトリウムであった。そして、処理溶液を、３０分かけて９０℃まで上昇させ、９０℃の処理溶液中にセーターを６０分間浸漬した。その後、３０分かけて３０℃に徐冷した後、実施例１と同様に処理して得られたセーターを、実施例４のセーターとした。
【００４６】
〔実施例５〕
パドル染色機に、獣毛（カシミア３０％ウール７０％）からなるセーターと７０℃の水とを浴比１：２０で充填した。次いで、蓚酸を１ｇ／Ｌ添加して５分間攪拌後、上記式（２）で表される化合物を５０％ｏ．ｗ．ｆ．添加し、これらを添加した処理溶液にセーターを浸漬した。処理溶液のｐＨは２．８４であった。実施例５で用いた上記式（２）で表される化合物において、Ｒ２〜Ｒ３は、何れも同じ炭素数８個の分岐鎖状のアルキル基であり、Ｘはナトリウムであった。即ち、実施例５で用いた上記式（２）で表される化合物は、スルホこはく酸ビス（２‐エチルヘキシル）ナトリウム塩であった。そして、処理溶液を、２０分かけて９０℃まで上昇させ、９０℃の処理溶液中にセーターを６０分間浸漬した。その後、実施例１と同様に処理して得られたセーターを、実施例５のセーターとした。
【００４７】
〔実施例６〕
スルホこはく酸ビス（２‐エチルヘキシル）ナトリウム塩の替わりに、Ｒ２〜Ｒ３が、何れも同じ炭素数６個の直鎖状のアルキル基であり、Ｘはナトリウムである上記式（２）で表される化合物を用いる以外は、実施例５と同様に処理して得られたセーターを、実施例６のセーターとした。即ち、実施例６で用いた上記式（２）で表される化合物は、スルホこはく酸ジヘキシルナトリウム塩であった。
【００４８】
〔実施例７〕
スルホこはく酸ビス（２‐エチルヘキシル）ナトリウム塩の替わりに、Ｒ２〜Ｒ３が、何れも同じフェニル基であり、Ｘはナトリウムである上記式（２）で表される化合物を用いる以外は、実施例５と同様に処理して得られたセーターを、実施例７のセーターとした。即ち、実施例７で用いた上記式（２）で表される化合物は、スルホこはく酸ジシクロヘキシルナトリウム塩であった。
【００４９】
〔実施例８〕
上記式（３）で表される化合物の替わりに上記式（１）で表される化合物を用いる以外は、実施例１と同様に処理して得られたセーターを、実施例８のセーターとした。
実施例８で用いた上記式（１）で表される化合物において、環Ｚ１はベンゼン環であり、Ｅは水素原子であり、ｎは１の整数であり、Ｒ１は炭素数１２個の直鎖状のアルキル基であった。即ち、実施例８で用いた上記式（１）で表される化合物は、ドデシルベンゼンスルフォン酸であった。
【００５０】
〔実施例９〕
純度７５％の燐酸の替わりに蓚酸を用い、上記式（３）で表される化合物の替わりに上記式（１）で表される化合物を用いる以外は、実施例１と同様に処理して得られたセーターを、実施例９のセーターとした。
実施例９で用いた上記式（１）で表される化合物において、環Ｚ１はビフェニルを表し、Ｅは水素原子であり、ｎは１の整数であり、Ｒ１は水素原子であった。即ち、実施例９で用いた上記式（１）で表される化合物は、ビフェニル‐４‐スルホン酸であった。
【００５１】
〔比較例１〕
パドル染色機に、獣毛（カシミア３０％ウール７０％）からなるセーターと７０℃の水とを浴比１：２０で充填した。次いで、スルファミン酸を１ｇ／Ｌ添加して５分間攪拌後、タンニン（Tanatex社製の品番「Tannigan」）を５０％ｏ．ｗ．ｆ．添加し、これらを添加した処理溶液にセーターを浸漬した。そして、処理溶液を、２０分かけて９０℃まで上昇させ、９０℃の処理溶液中にセーターを６０分間浸漬した。その後、実施例１と同様に処理して得られたセーターを、比較例１のセーターとした。
【００５２】
〔性能評価〕
実施例１〜９及び比較例１のセーターについて、下記方法に従って、セーターの獣毛繊維の立ち具合、及びセーターの風合いについて評価した。その結果を下記表１に示す。以下に、セーターの獣毛繊維の立ち具合の評価方法、及びセーターの風合いの評価方法を説明する。
【００５３】
＜セーターの獣毛繊維の立ち具合の評価方法＞
評価環境は室温２０℃、湿度６０％ＲＨであった。
専門パネラー１０人により、比較例１のセーターを基準（５点）としたときの１０段階の（１０点に近づく程、繊維の立ち具合が良い。）の目視評価を行い、平均値を整数桁に四捨五入して求めた。それらの結果を下記表１に示す。
【００５４】
＜セーターの風合いの評価方法＞
評価環境は室温２０℃、湿度６０％ＲＨであった。
専門パネラー１０人により、手で握った際の比較例１のセーターを基準（５点）としたときの１０段階の（１０点に近づく程、風合いが良い。）の官能評価を行い、平均値を整数桁に四捨五入して求めた。官能評価では、セーターを手で握った際の滑らかで柔らかな毛皮のような風合いか否かを評価した。それらの結果を下記表１に示す。
【００５５】
【表１】
2016169455.tif 000010
【００５６】
表１に示す結果から明らかなように、実施例１〜９のセーターは、比較例１のセーターと比較して、獣毛繊維の立ち具合が良好であることがわかった。さらに、実施例１〜９のセーター、比較例１のセーターと比較して、セーターを手で握った際に、滑らかで柔らかな毛皮のような風合いであることがわかった。